(57)【要約】【課題】簡単な構造で、分電盤内に配線スペースを十分確保した分電盤を提供することを目的としている。【解決手段】本発明に係る分電盤は、キャビネットの底面に敷設された支持レールに機器取り付けレールを渡し、機器取り付けレールに電気機器を載置した機器取り付けパネルを取り付けて構成されるものであり、機器取り付け部６ｃと支持部６ｂとレール固定部６ａとを段状に形成した機器取り付けレール６は、支持部６ｂを機器取り付け部６ｃより内側に位置するように形成し、レール固定部６ａと支持部６ｂとの間にスペースを確保し、配線スペースを十分確保することを特徴とする。【選択図】図１
2010063254.tif 000002
【特許請求の範囲】
【請求項１】
キャビネットの底面に敷設された支持レールに機器取り付けレールを渡し、該機器取り付けレールに電気機器を載置した機器取り付けパネルを取り付けて構成された分電盤において、機器取り付け部と支持部とレール固定部とを段状に形成した前記機器取り付けレールは、前記支持部を前記機器取り付け部より内側に位置するように形成し、前記レール固定部と前記支持部との間にスペースを確保することを特徴とする分電盤。
【請求項２】
前記分電盤において、前記機器取り付け部とレール固定部とに棒状の電線支持具を設けることを特徴とする請求項１に記載の分電盤。
【発明の詳細な説明】
【技術分野】
【０００１】
本発明は、キャビネットの底面に敷設された支持レールに機器取り付けレールを渡し、機器取り付けレールに電気機器を載置した機器取り付けパネルを取り付けて構成された分電盤に関するものである。
【背景技術】
【０００２】
図４に従来の分電盤を示す。キャビネット３１の底面３２に支持レール３３を敷設し、支持レール３３に機器取り付け用のレール３４を渡し、この機器取り付け用レール３４に、ブレーカ等の電気機器３５を載置したパネル３６を固定して分電盤３２を構成している。機器取り付け用レール３４は、レール固定部３４ａと機器取り付け部３４ｂとを形成し、機器取り付け部３４ｂは、上部に載置される機器よりも大きく形成されている。システムアース３７を設ける場合には、機器取り付け部３４ｂが取り付け位置を制限していて、支持レール３３に取り付けることが多かった。
【特許文献１】特開２００３−９２８１０号公報
【発明の開示】
【発明が解決しようとする課題】
【０００３】
上記分電盤内の機器の取り付け方法では、機器取り付け用レールが、機器の寸法より大きく設定され、支持レールにネジ止めにより固定されているため、機器取り付け用レールのの下部はデッドスペースとなっていた。このスペースに機器を取り付けようとすると、機器取り付け用レールの取り付けと兼ねて固定するため、機器のメンテナンス時には、機器取り付け用レールも外さなくてはならず、作業が煩雑であった。また、システムアースを設け、下部に向かって電線を接続する必要がある場合には、その電線を配置するスペースが確保しにくいため、支持レールの外側に配置されることがあるが、この場合、分電盤から外部へ引き出される電線を接続したり収納したりするためのスペースがとられてしまうため、作業がしにくくなっていた。
【課題を解決するための手段】
【０００４】
そこで本発明は、簡単な構造で、分電盤内に配線スペースを十分確保した分電盤を提供することを目的とし、その構造は、機器取り付け部と支持部とレール固定部とを段状に形成した機器取り付けレールは、支持部を機器取り付け部より内側に位置するように形成し、レール固定部と支持部との間にスペースを確保することを特徴とする
【０００５】
また、機器取り付け部とレール固定部とに棒状の電線支持具を設けることを特徴とする。
【発明の効果】
【０００６】
本発明に係る分電盤は、機器取り付け部と支持部とレール固定部とを段状に形成した機器取り付けレールは、支持部を機器取り付け部より内側に位置するように形成し、レール固定部と支持部との間にスペースを確保するため、従来デッドスペースとなっていた、機器取り付けレール下部に取り付けスペースができるので、配線作業が円滑に行えるようになった。システムアースを配置する場合にでも、機器取り付けレール下部に取り付けることができるので、分電盤から外部への配線のためのスペースも確保することができ、作業性が向上する。
【０００７】
また、機器取り付け部とレール固定部とに棒状の電線支持具を設けるため、電線を整理することができ、メンテナンス作業時に電線を抜き差しする場合にも作業が容易に行えると共に、整線作業が円滑に行える。電線支持具の固定により、機器取り付け用レールの補強となり、ゆがみや曲がりが起きにくくなる。
【発明を実施するための最良の形態】
【０００８】
本発明に係る分電盤の実施例を図１〜図３の添付図面に基いて説明する。
【０００９】
分電盤１は、キャビネット２にブレーカ等の電気機器３を配列して構成されている。キャビネット２の背面４には支持レール５を敷設し、支持レール５には、機器取り付けレール６や機器取り付けパネル７を取り付ける。機器取り付けレール６や機器取り付けパネル７に直接または、取り付け板８を介して機器３を固定する。
【００１０】
請求項１に係る分電盤１では、支持レール５は、断面略コ字状に形成され、上面を機器取り付けレール取り付け部５ａとする。機器取り付けレール６は、レール固定部６ａ、支持部６ｂ、機器取り付け部６ｃとを段状に折曲形成する。レール固定部６ａを支持レール５にねじ止め等により固定させる。機器取り付け部６ｃの幅は、機器取り付けパネル７に機器３を載置したときに機器３を載せるのに必要な寸法で形成されるように支持部６ｂを折曲しする。機器取り付け部６ｃに機器取り付けレール６や機器取り付けパネル７を取り付けたときに、機器取り付けレール６や機器取り付けパネル７の下部のレール固定部６ａには、スペースを形成することになる。
【００１１】
システムアースを配置する場合には、ブレーカの負荷側端子９に電線を接続し、キャビネット２内に設置したアース１０へ配線する。このとき、アース１０をレール固定部６ａに確保したスペースに設置すると、省スペースに収めることができ、アース用のスペースを作る必要もない。
【００１２】
機器取り付けパネルの下部にスペースができたことにより、分電盤内の配線スペースとして利用できる。従来機器取り付けスペースにさらに配線スペースを設けた寸法のキャビネットを選定していたところを、小型のキャビネットで収めることができるので、設置場所の制約も減らすことができ、製造コストも抑えることができる。
【００１３】
図３に請求項２に係る分電盤１１の実施例を示す。請求項２に係る分電盤１１では、機器取り付けレール１２のレール固定部１３と機器取り付けレール１２とに棒状の電線支持具１４を渡す。機器取り付けパネル１５の下部にできたスペースにアース等の機器を取り付け、その機器への配線を電線支持具１４に結束し、整線するものである。また、電線支持具１４が、機器取り付けレール１２の支持部１２ｂと共に、機器取り付けパネル１５を支持することができるため、補強にもなる。
【図面の簡単な説明】
【００１４】
【図１】本発明に係る分電盤を示す正面図である。
【図２】本発明に係る分電盤を示す側部断面図である。
【図３】本発明の請求項２に係る分電盤を示す側部断面図である。
【図４】従来の分電盤を示す側部断面図である。
【符号の説明】
【００１５】
１      分電盤
２      キャビネット
３      電気機器
４      背面
５      支持レール
５ａ    機器取り付けレール取り付け部
６      機器取り付けレール
６ａ    レール固定部
６ｂ    支持部
６ｃ    機器取り付け部
７      機器取り付けパネル
８      取り付け板
９      負荷側端子
１０    アース
１１    分電盤
１２    機器取り付けレール
１２ｂ  支持部
１３    レール固定部
１４    電線支持具
【図１】
2010063254.tif 000003
【図２】
2010063254.tif 000004
【図３】
2010063254.tif 000005
【図４】
2010063254.tif 000006